(57)【要約】【課題】本発明の目的は、溶出試験を安定して行うことのできる溶出試験器を提供することにある。【解決手段】ベース２２上に設けられ、恒温水２４が入れられる、横断面が円形の円形水槽１２と、前記円形水槽１２の上方に配置され、前記ベース２２に対し上下動するヘッド１４と、前記ベース２２に対し前記ヘッド１４を片持ちの状態で上下動自在に支持する片持手段１６と、前記円形水槽１２の恒温水２４中に所望部分が沈められ、溶出試験のための試料２６及び試験液２８が入れられるベッセル１８と、前記ヘッド１４より垂下し、前記ベッセル１８内の試料２６ないし試験液２８を攪拌する試験液攪拌手段２０と、を備えたことを特徴とする溶出試験器１０。【選択図】      図１
2006322742.tif 000002
【特許請求の範囲】
【請求項１】
ベース上に設けられ、恒温水が入れられる、横断面が円形の円形水槽と、
前記円形水槽の上方に配置され、前記ベースに対し上下動するヘッドと、
前記ベースに対し前記ヘッドを片持ちの状態で上下動自在に支持する片持手段と、
前記円形水槽の恒温水中に所望部分が沈められ、溶出試験のための試料及び試験液が入れられるベッセルと、
前記ヘッドより垂下し、前記ベッセル内の試料ないし試験液を攪拌する試験液攪拌手段と、
を備えたことを特徴とする溶出試験器。
【請求項２】
請求項１記載の溶出試験器において、
前記円形水槽は、横断面が円形の水槽本体と、
前記水槽本体の内底において同心円状に設けられ、該水槽本体内の恒温水の温度を調節するための円形ヒータと、
を含むことを特徴とする溶出試験器。
【請求項３】
請求項２記載の溶出試験器において、
さらに、前記円形水槽は、前記水槽本体の内底中心に設けられ、該水槽本体内の恒温水を攪拌するための恒温水攪拌手段を含むことを特徴とする溶出試験器。
【請求項４】
請求項１〜３のいずれかに記載の溶出試験器において、
前記水槽本体は前記ベースに対し回転自在に設けられ、前記試験液攪拌手段を前記ヘッドと共に前記ベッセルから上方に離隔した状態で該ベースに対する該水槽本体の回転により、該ベースに対し該水槽本体を着脱自在としたことを特徴とする溶出試験器。
【請求項５】
請求項４記載の溶出試験器において、
前記ベースに対する水槽本体の回転角度が設定角度となるように前記ベースに対する前記水槽本体の回転角度を規定するための位置決め手段を備え、
前記位置決め手段は、前記水槽本体の外底の中心以外のところ、ないし該水槽本体の外周壁に設けられ、該水槽本体と共に回転する回転側ストッパと、
前記ベースの中心以外のところに設けられ、前記ベースに対する水槽本体の回転角度が設定角度で、前記可動側ストッパと当接する静止側ストッパと、
を備えたことを特徴とする溶出試験器。
【請求項６】
請求項５記載の溶出試験器において、
前記静止側ストッパと前記回転側ストッパとが当接しているか否かを検知する位置センサと、
前記位置センサからの検知情報に基づき該静止側ストッパと回転側ストッパとが当接していないと判断した時、前記溶出試験器ないしその周辺機器の動作許可を行わない許可手段と、
を備えたことを特徴とする溶出試験器。
【請求項７】
請求項１〜６のいずれかに記載の溶出試験器において、
前記ベッセルは、前記試料及び試験液を入れるためのベッセル本体及び該ベッセル本体に設けられた上端開口を含み、
また前記ベッセル本体の上端開口を閉口するように設けられたベッセル蓋を含み、
前記円形水槽は、その少なくとも周壁を高遮光性を持つ褐色、赤色又は橙色、又は紫外及び可視光の短い波長領域を吸収する褐色、赤色又は橙色とし、
前記ベッセル蓋は、高遮光性を持つ褐色、赤色又は橙色、又は紫外及び可視光の短い波長領域を吸収する褐色、赤色又は橙色とすることを特徴とする溶出試験器。
【発明の詳細な説明】
【技術分野】
【０００１】
本発明は溶出試験器、特にその安定化機構の改良に関する。
【背景技術】
【０００２】
従来より、例えば製剤等の試料の品質を一定に確保するため、試料からの目的成分の溶出を試験する溶出試験が行われている。
溶出試験を行うための溶出試験器としては、種々のものが開発されている。従来は、例えば特許文献１に記載の溶出試験器がある。
【０００３】
溶出試験器は、一般に、ベッセルと、パドル（又は回転バスケット）と、回転軸と、電動機と、恒温水槽と、を備える。
溶出試験では通常、以下に示されるような溶出試験器の操作を行う。すなわち、一定量の試験液をベッセルにとり、ベッセル内の試験液の温度を３７±５℃に保つ。そして、試料をベッセル内底の中心部に沈めた後、規定の位置でパドルを回転させる。規定された時間でベッセルから試験液を採取し、これを試料溶液とする。試料溶液中の目的成分は、規定する方法により定量され、表示量に対する溶出率が求められる。
【特許文献１】特開２０００−２８３９７７号公報
【発明の開示】
【発明が解決しようとする課題】
【０００４】
ところで、溶出試験器には、溶出試験の安定化が要求されている。
しかしながら、前記従来方式の溶出試験器にあっても、溶出試験の更なる安定化は困難であった。
また従来は、溶出試験の更なる安定化を妨げる原因も不明であった。
本発明は前記従来技術の課題に鑑みなされたものであり、その目的は、溶出試験をより安定して行うことのできる溶出試験器を提供することにある。
【課題を解決するための手段】
【０００５】
＜原因の解明＞
溶出試験を安定して行う点について本発明者らが鋭意検討を重ねた結果、溶出試験の更なる安定化を妨げる原因が、以下の点にあることがわかった。
すなわち、本発明者らは、溶出試験の更なる安定化のためには、溶出試験中のベッセル内の試験液の温度管理が非常に重要である点を発見した。
しかしながら、実際には、試験液は、周囲温度の影響を受けやすく、以下の現象を確認した。
すなわち、溶出試験は通常、一のベッセルでなく、複数のベッセルを同時に用いて行われるが、ベッセル毎に試験液の温度が異なることがあり、このため溶出試験を安定して行えないことがある点を確認した。
このような各ベッセル間の温度のばらつきを解消するため、さらに温度管理手段を設けることも考えられるが、新たに温度管理手段を設けたのでは、構成が複雑となり、新たな不安定の原因となり得る。
このため本発明では、安定して溶出試験を行うためには、簡単な構成で、各ベッセル内試験液温度の均一化を図る点が重要な課題であると考えられる。
【０００６】
そして、本発明者らは、このような課題の解決手段を検討していたところ、各ベッセル間で温度のばらつきの生じる原因が、恒温水槽内の場所によって異なる恒温水の不均一性にある点を発見した。
すなわち、一般的な溶出試験器では、矩形の恒温水槽を用いため、外気温の影響を受けやすく、特に恒温水槽の角（隅）付近はその影響が非常に強い。
また恒温水の攪拌や熱による対流の大きさ、方向が、水槽内の場所によって異なり、水槽の水温が均一になり難い。
本発明者らは、このような現象の確認の結果、簡単な構成で恒温水の不均一性を改善するためには、恒温水槽を一般的な矩形水槽に代えて円形水槽とすることが非常に重要である点を見出し、本発明を完成するに至った。
【０００７】
＜課題解決手段＞
すなわち、前記目的を達成するために本発明にかかる溶出試験器は、横断面が円形の円形水槽と、ヘッドと、片持手段と、ベッセルと、試験液攪拌手段と、を備えることを特徴とする。
ここで、前記円形水槽は、ベース上に設けられ、溶出試験に基づく温度の恒温水が入れられる。
また、前記ヘッドは、前記円形水槽の上方に配置され、前記ベースに対し上下動する。
前記片持手段は、前記ベースに対し前記ヘッドを片持ちの状態で上下動自在に支持する。
前記ベッセルは、前記円形水槽の恒温水中に所望部分が沈められ、溶出試験の行われる試料及び試験液が入れられる。
前記試験液攪拌手段は、前記ヘッドより垂下し、前記ベッセル内の試料ないし試験液を攪拌する。
本発明の試験液攪拌手段としては、例えばパドル又は回転バスケット、及び、該パドル又は回転バスケットを回転する回転軸等が一例として挙げられる。
【０００８】
なお、本発明において、前記円形水槽は、横断面が円形の水槽本体と、円形ヒータと、
を含むことが好適である。
ここで、前記円形ヒータは、前記水槽本体の内底において同心円状に設けられ、該水槽本体内の恒温水の温度を調節するためのものとする。
【０００９】
また本発明において、前記円形水槽は、さらに、恒温水攪拌手段を含むことが好適である。
ここで、前記恒温水攪拌手段は、前記水槽本体内の底中心に設けられ、該水槽本体内の恒温水を攪拌する。
【００１０】
＜回転式着脱機構＞
また本発明において、前記水槽本体は前記ベースに対し回転自在に設けられ、前記試験液攪拌手段を前記ヘッドと共に前記ベッセルから上方に離隔した状態で該ベースに対する該水槽本体の回転により、該ベースに対し該水槽本体を着脱自在とすることが好適である。
【００１１】
＜位置決め手段＞
また本発明において、位置決め手段を備える。前記位置決め手段は、回転側ストッパと、静止側ストッパと、を備えることが好適である。
ここで、前記位置決め手段は、前記ベースに対する水槽本体の回転角度が設定角度となるように前記ベースに対する前記水槽本体の回転角度を規定するためのものとする。
また前記回転側ストッパは、前記水槽本体の外底の中心以外のところ、ないし該水槽本体の外周壁に設けられ、該水槽本体と共に回転する。
また前記静止側ストッパは、前記ベースの中心以外のところに設けられ、前記ベースに対する水槽本体の回転角度が設定角度で、前記可動側ストッパと当接する。
【００１２】
＜位置センサ＞
また本発明において、位置センサと、許可手段と、を備えることが好適である。
ここで、前記位置センサは、前記静止側ストッパと前記回転側ストッパとが当接しているか否かを検知する。
また前記許可手段は、前記位置センサからの検知情報に基づき該静止側ストッパと回転側ストッパとが当接していないと判断した時、前記溶出試験器ないしその周辺機器の動作許可を行わない。
【００１３】
＜遮光＞
また本発明において、前記ベッセルは、前記試料及び試験液を入れるためのベッセル本体及び該ベッセル本体に設けられた上端開口を含む。また前記ベッセル本体の上端開口を閉口するように設けられたベッセル蓋を含む。前記円形水槽は、その少なくとも周壁を高遮光性を持つ褐色、赤色又は橙色、又は紫外及び可視光の短い波長領域を吸収する褐色、赤色又は橙色とする。前記ベッセル蓋は、高遮光性を持つ褐色、赤色又は橙色、又は紫外及び可視光の短い波長領域を吸収する褐色、赤色又は橙色とすることが好適である。
【発明の効果】
【００１４】
＜円形水槽＞
本発明にかかる溶出試験器によれば、ヘッドの片持手段と、円形水槽と、を備えることとしたので、簡単な構成で、溶出試験をより安定して行うことができる。
また本発明においては、円形水槽内底に円形ヒータを同心円状に設けることにより、前記溶出試験を、より安定して行うことができる。
また本発明においては、円形水槽の底中心に恒温水攪拌手段を備えることにより、前記溶出試験を、より安定して行うことができる。
【００１５】
＜回転式着脱機構＞
また本発明において、ベースに対し水槽本体を回転して着脱自在とすることにより、前記溶出試験を、より安定して行うことができる。
また本発明において、ベースに対する水槽本体の位置決めを行うための位置決め手段を設けることにより、前記溶出試験を、より安定して行うことができる。
また本発明において、ベースに対し水槽本体が確実に位置決めされているか否かを検知するための位置センサを備えることにより、前記溶出試験を、より安定して行うことができる。
【００１６】
＜遮光＞
また本発明においては、前記円形水槽を褐色、赤色又は橙色水槽とし、前記ベッセル蓋を褐色、赤色又は橙色蓋とすることにより、前記溶出試験を、より安定して行うことができる。
【発明を実施するための最良の形態】
【００１７】
以下、図面に基づき本発明の好適な一実施形態について説明する。
図１には本発明の一実施形態にかかる溶出試験器の概略構成が示されている。
同図に示す溶出試験器１０は、横断面が円形の円形水槽１２と、ヘッド１４と、片持手段１６と、ベッセル１８と、試験液攪拌手段２０と、を備える。
ここで、円形水槽１２は、ベース２２上に設けられ、恒温水２４が入れられる。
また、ヘッド１４は、円形水槽１２の上方に配置され、ベース２２に対し上下動する。
片持手段１６は、ベース２２に対しヘッド１４を片持ちの状態で上下動自在に支持する。
ベッセル１８は、円形水槽１２の恒温水２４の中に所望部分が沈められ、溶出試験のための試料２６及び試験液２８が入れられる。
試験液攪拌手段２８は、ヘッド１４の下端より垂下しベッセル１８内の試料２６ないし試験液２８を攪拌する。
【００１８】
＜円形水槽＞
なお、本実施形態において、円形水槽１２は、横断面が円形の水槽本体３０と、円形ヒータ３２と、水槽蓋３４と、を含むことが好適である。
ここで、水槽本体３０は、例えばプラスチック製であり、円形スカート３６を介してベース２２上に載置されている。
また円形ヒータ３２は、水槽本体３０の内底に同心円状に設けられた円形リング状ものであり、水槽本体３０内の恒温水２４の温度を例えば３７度付近に調節するためのものとする。
また水槽蓋３４は、横断面が円形のものであり、例えばステンレス製であり、水槽本体３０の恒温水２４の中にベッセル１８の所望部分が沈むように、水槽本体３０に対しベッセル１８を保持するためのものとする。
【００１９】
各ベッセル１８は、円形水槽１２の壁部より離隔している。例えば以下のように配置している。
円形水槽１２の中心に一のベッセル１８を配置し、また七のベッセル１８を同心円状に等間隔をおいて配置している。
またヒータを円形ヒータ３２としている。そして、円形ヒータ３２を七のベッセル１８の下方に位置するところに設けられた円形（リング状）とし、七のベッセル１８中心の描く円よりも若干小径としている。
【００２０】
また本実施形態において、円形水槽１２は、さらに、恒温水攪拌手段３８を含むことが好適である。
ここで、恒温水攪拌手段３８は、水槽本体３０内の底中心に設けられ、水槽本体３０内の恒温水２４を攪拌する。
【００２１】
＜ベッセル＞
また本実施形態において、ベッセル１８にベッセル蓋４０を設けている。
ベッセル蓋４０は、試験液２８の蒸発を防止するため、ベッセル１８の上端開口に着脱自在に設けられた円盤状のものとする。
【００２２】
＜試験液攪拌手段＞
また本実施形態において、試験液攪拌手段２８は、蓋移動軸４２と、パドル４４と、を備える。
蓋移動軸４２は、ヘッド１４の下端より垂下し、ベッセル蓋４０の中心を保持し、ヘッド１４と共に上下動する。
ここで、蓋移動軸４２は、筒体４６と、回転軸４８と、を備える。
筒体４６は、ヘッド１４に固定され、外壁がベッセル蓋４０の中心に固定される。
回転軸４８は、筒体４６内に回転自在に設けられ、下部にパドル４４が設けられる。
パドル４４は、回転軸４８と共に回転し、ベッセル１８内の試料２６ないし試験液２８を攪拌する。
【００２３】
このようにして溶出試験器１０を構成することにより、溶出試験を行うことができる。
ところで、溶出試験器では、溶出試験を安定して行うためには、各ベッセル１８内温度の安定化が非常に重要である。従来においてもヒータ等は用いるが、更なる温度安定化を図ることが困難である。
【００２４】
これに対し、本実施形態は、前述のような各ベッセル内温度にばらつきを生じる原因の解明に基づき、円形水槽１２という解決手段に到達し得た。
図２には円形水槽１２の簡略化モデルが示されている。なお、同図（Ａ）は円形水槽１２内を側方より見た図、同図（Ｂ）は円形水槽１２内を上方より見た図である。
すなわち、同図に示されるように恒温水槽を円形水槽１２としている。そして、円形水槽１２にベッセル１８を、円形水槽１２の壁部より離隔配置している。複数のベッセル１８を同心円状に等間隔をおいて配置している。
またヒータを円形ヒータ３２としている。そして、円形ヒータ３２を各ベッセル１８の下方に位置するところに設けられた円形（リング状）とし、複数のベッセル１８中心の描く円よりも若干小径としている。
さらに恒温水攪拌手段３８を、円形水槽１２の底中心に設けている。
【００２５】
この結果、本実施形態においては、円形水槽１２及び円形ヒータ３２のため、円形ヒータ３２で温められた恒温水２４の対流が、円形水槽１２の中心を中心に軸対称に起きる。
すなわち、円形水槽１２の内底中心の恒温水２４は、恒温水攪拌手段３８で円形水槽１２の内底中心から壁部に向けて吹き飛ばされる。壁部に至った恒温水２４は壁部に沿って上昇し、上面に至る。上面に至った恒温水２４は、略中心で下降し、再度、恒温水攪拌手段３８付近に至る。このような恒温水２４の循環が生じる。
しかも、円形水槽１２のため外気温の影響を受けにくくなる。
【００２６】
したがって、円形水槽１２内の場所による温度の不均一を解消し、円形水槽１２内の恒温水２４の温度の均一化が図られる。これにより、各ベッセル１８内温度の不均一を解消することができるので、溶出試験を安定して行うことができる。
【００２７】
＜回転式着脱機構＞
ところで、溶出試験器は、メンテナンス時の作業性、位置再現性も重要である。
このために本実施形態においては、図３に示されるように、水槽本体３０はベース２２に対し回転自在に設けられる。
メンテナンス時は、図３に示されるように試験液攪拌手段２０をヘッド１４と共にベッセル１８から上方に離隔した状態とする。
そして、ベース２２に対する水槽本体３０の回転により、ベース２２に対し水槽本体３０を着脱自在とすることが好適である。
【００２８】
＜ストッパ＞
本実施形態において、円形水槽１２の水槽本体３０は、取り外し後、再セットする必要があるが、この際の位置決め再現性、容易性も重要である。
これに応えるため、図４（Ａ）に示されるような位置決め手段５０を備える。
すなわち、本実施形態において、位置決め手段を備える。前記位置決め手段５０は、回転側ストッパ５２と、静止側ストッパ５４と、を備えることが好適である。
ここで、位置決め手段５０は、ベース２２に対する水槽本体３０の回転角度が設定角度となるようにベース２２に対する水槽本体３０の回転角度を規定するためのものとする。
また回転側ストッパ５２は、水槽本体３０の外底の中心以外のところ、ないし水槽本体３０の外周壁に設けられ、水槽本体３０と共に回転する。
また静止側ストッパ５４は、ベース２２の中心以外のところに設けられ、ベース２２に対する水槽本体３０の回転角度が設定角度で、可動側ストッパと当接する。
【００２９】
図４（Ａ）に示されるように水槽本体３０を回転し、同図（Ｂ）に示されるようなベース２２に対し水槽本体３０が所望の角度でセット時に、静止側ストッパ５４と回転側ストッパ５２とが当接し、水槽本体３０の回転を止める。
【００３０】
このようにして水槽本体３０のセット時は静止側ストッパ５４と回転側ストッパ５２とが当接するまで、水槽本体３０を回転するだけで、所定の位置決めが完了するので、位置決めの際の作業性と再現性とが確実に向上される。
【００３１】
なお、本実施形態では、図４に示されるようにベース２２に円形水槽１２を円形スカート３６を介して設けている。
このため、静止側ストッパ５４は円形スカート３６に設けられている。
【００３２】
＜制限機構＞
より安定して溶出試験を行うためには、ベース２２に対し水槽本体３０が確実に位置決めされた状態で、溶出試験を開始することも重要である。
このために本実施形態においては、位置センサ６２と、許可手段６４と、を備えることが好適である。
ここで、位置センサ６２は、静止側ストッパ５４と回転側ストッパ５２とが当接しているか否かを検知する。
また許可手段６４は、位置センサから６２の検知情報に基づき、静止側ストッパ５４と回転側ストッパ５２とが当接していないと判断すると、溶出試験器１０ないしその周辺機器の動作停止を指示する。一方、許可手段６４は、位置センサ６２からの検知情報に基づき静止側ストッパ５４と回転側ストッパ５２とが当接していると判断すると、溶出試験器１０ないしその周辺機器の動作開始の許可を行う。
【００３３】
また溶出試験器１０では、このような水槽本体の取り外し時、結線作業を容易に行うことも重要である。
すなわち、図５に示されるように水槽本体３０の外底からは、ヒータ線、空焚き検知センサ線、温度センサ線等を含む電気線７０が引き出されており、これらの電気線７０の先端は、コネクタ７２が設けている。
一方、スカート３６には、これらの電気線７０との接続を行うための電気線７４に、コネクタ７２と着脱自在なコネクタ７６を設けている。
このため、これらのコネクタ７２，７６の着脱を介して、水槽本体３０の取り外し時、結線作業、脱線作業を容易に行うことができる。
【００３４】
（変形例）
＜水槽着脱機構＞
なお、前記構成では、回転式着脱機構の例について説明したが、他の着脱機構を用いることもできる。例えば図６に示されるようにベース２２に対し水槽本体３０を上方向に持ち上げる機構も採用可能である。
【００３５】
また結線機構も図７に示されるようなものを適用可能である。例えば同図に示されるように水槽本体３０の下端には、ヒータ線、空焚き検知センサ線、温度センサ線等の水槽側接続端子８０が設けられている。
一方、スカート３６には、この水槽側接続端子８０との接続を行うためのベース側接続端子８２が設けられている。
このため、スカート３６に対し上下方向に水槽本体３０を着脱するだけで、水槽側接続端子８０とベース側接続端子８２との結線作業、脱線作業も自動的に行うことができる。
【００３６】
なお、ベース２２に対し水槽本体３０を横方向にスライドする機構も適用可能である。
【００３７】
＜遮光＞
溶出試験には、溶出試験結果の安定化が要求されている。
溶出試験結果の安定化について本発明者らが鋭意検討を重ねた結果、溶出試験を安定化を妨げる要因が、以下の点にあることも発見した。
すなわち、一般に恒温水槽、ベッセル本体、ベッセル蓋は、内部の観察のため光学的に透明なものを用いている。
試料には光変性を起こしやすいものがあり、溶出試験中に溶出した成分が変化してしまうことがある。
この結果、溶出率が変わっているように見えることがあり、溶出試験を安定して行うことが困難なことがあった。
本発明は、溶出試験において、溶出試験の安定化を妨げる原因が試料の光変性によるところが非常に大きい点を発見したことに基づき、恒温水槽、ベッセル蓋に対する遮光手段という解決手段を見出した。
遮光手段としては、種々のものが考えられるが、構成の簡略化のため、前記円形水槽１２の水槽本体３０は、その少なくとも外周壁を高遮光性を持つ褐色とし、またベッセル蓋４０も、同様に高遮光性を持つ褐色とすることが好適である。
このようにして本実施形態においては、溶出試験を不安定にする原因の解明に基づき円形水槽１２の水槽本体３０として褐色水槽を用い、またベッセル蓋４０として褐色蓋を用いることにより、従来極めて困難であった、簡易な構成での、溶出試験の安定化を確実に図ることができる。
なお、前記構成では、円形水槽１２の水槽本体３０は、その少なくとも周壁を高遮光性を持つ褐色とした例について説明したが、褐色に代えて、高遮光性を持つ赤色又は橙色とすることも好ましい。
また円形水槽１２の水槽本体３０は、紫外及び可視光の短い波長領域を吸収するものを用いることも好ましい。これも、褐色、赤色又は橙色のものを用いることが好ましい。
ベッセル蓋４０も、円形水槽１２の水槽本体３０と同様、高遮光性を持つ褐色とした例について説明したが、褐色に代えて、高遮光性を持つ赤色又は橙色とすることも好ましい。
またベッセル蓋４０は、紫外及び可視光の短い波長領域を吸収するものを用いることも好ましい。これも、褐色、赤色又は橙色のものを用いることが好ましい。
【００３８】
＜測定法＞
前記各構成では、試験液攪拌手段としてパドルを用いた例について説明したが、パドルに代えて、回転軸に回転バスケットを設けることも好ましい。回転バスケット内に錠剤を入れ、これを回転軸で回転することで、攪拌することも好ましい。
【００３９】
＜剤形＞
前記構成では、試料の剤形として、錠剤に適用した例について説明したが、そのほか、カプセル、顆粒、粉末等に好適に適用することができる。
【図面の簡単な説明】
【００４０】
【図１】本発明の一実施形態にかかる溶出試験器の概略構成（溶出試験時）の説明図である。
【図２】本実施形態において特徴的な円形水槽の概略構成及びその作用の説明図である。
【図３】本発明の一実施形態にかかる溶出試験器の概略構成（メンテナンス時）の説明図である。
【図４】本実施形態において特徴的な円形水槽の回転式着脱機構の説明図である。
【図５】図４に示した回転式着脱機構において特徴的な結線機構の説明図である。
【図６】図４に示した着脱機構の変形例の説明図である。
【図７】図６に示した着脱機構において特徴的な結線機構の説明図である。
【符号の説明】
【００４１】
１０  溶出試験器        
１２  円形水槽
１４  ヘッド
１６  片持手段
１８  ベッセル
２０  試験液攪拌手段
【図１】
2006322742.tif 000003
【図２】
2006322742.tif 000004
【図３】
2006322742.tif 000005
【図４】
2006322742.tif 000006
【図５】
2006322742.tif 000007
【図６】
2006322742.tif 000008
【図７】
2006322742.tif 000009